(57)【要約】【課題】無線タグの配置順序の正誤を検出することで、設置対象の整列順序の狂い、抜け、他の種類の紛れ込み等のチェックなどの群管理を効率的に行うことができる無線タグ通信端末を提供する。【解決手段】所定の整列順序で整列して配置される複数のファイルＦにそれぞれ設けられ、所定の楽曲に対応する音指示データがそれぞれ記憶された複数の無線タグＴに対して、無線通信を行うためのリーダアンテナ２と、このリーダアンテナ２を介した無線通信により、複数の無線タグＴより複数の音指示データを順次取得すると共に、この順次取得した複数の音指示データに基づき、対応する複数の音を順次連続的に発音し、楽曲として再生するためのスピーカ２８を有する。【選択図】図１
2009258974.tif 000002
【特許請求の範囲】
【請求項１】
所定の整列順序で整列して配置される複数の設置対象にそれぞれ設けられ、前記整列順序に対応した音の音関連データがそれぞれ記憶された複数の無線タグに対して、無線通信を行うための通信手段と、
前記通信手段を介した無線通信により、前記複数の無線タグより前記所定の整列順序に沿って複数の前記音関連データを順次取得するデータ読み取り手段と、
前記データ読み取り手段で順次取得した前記複数の音関連データに基づき動作される音源手段と、前記音源手段からの発音信号に基づき前記楽曲を再生する発音手段とを備え、前記データ読み取り手段で順次取得した前記複数の音関連データに基づき、対応する複数の音を順次連続的に発音し、楽曲として演奏する演奏手段と
を有することを特徴とする無線タグ通信端末。
【請求項２】
前記通信手段を介した無線通信により、前記所定の楽曲を形成する連続的な複数の音に対応した前記複数の音関連データのそれぞれを、前記所定の整列順序で整列した複数の無線タグのそれぞれに対し、順次書き込んで記憶させるデータ書き込み手段を有する
ことを特徴とする請求項１記載の無線タグ通信端末。
【請求項３】
前記音関連データとして前記複数の無線タグにそれぞれ記憶される、複数の音指示データと、前記複数の音指示データにそれぞれ対応する、前記音源手段の動作用の複数の音源作用データとを、予め関連づけた相関を記憶する、相関記憶手段を設け、
前記データ読み取り手段は、
前記複数の無線タグより、前記複数の音指示データを順次取得し、
前記順次取得した前記複数の音指示データを、前記相関記憶手段に記憶された前記相関に従って、対応する複数の前記音源作用データに変換する音源作用データ生成手段を設け、
前記音源手段は、
前記音源作用データ生成手段で順次変換された前記複数の音源作用データにより動作される
ことを特徴とする請求項２記載の無線タグ通信端末。
【請求項４】
前記所定の楽曲に対応する複数の前記音源作用データを、前記相関記憶手段に記憶された前記相関に従って、対応する複数の前記音指示データに変換する音指示データ生成手段を有し、
前記データ書き込み手段は、
前記音指示データ生成手段で生成した前記複数の音指示データのそれぞれを、前記所定の楽曲を形成するような連続的な順序で、前記整列した複数の無線タグのそれぞれに対し、順次書き込んで記憶させる
ことを特徴とする請求項３記載の無線タグ通信端末。
【請求項５】
前記音指示データは、
前記所定の楽曲における前記複数の音源作用データの並び順に対応した並び順記号、若しくは、各無線タグのタグ識別情報、若しくは、前記音源作用データの音程に対応した音程記号のうち少なくとも１つを含む
ことを特徴とする請求項３又は請求項４記載の無線タグ通信端末。
【請求項６】
前記データ書き込み手段は、
前記所定の楽曲に対応する前記音源手段の動作用の複数の音源作用データのそれぞれを、当該所定の楽曲を形成するような連続的な順序で、前記整列した複数の無線タグのそれぞれに対し、順次書き込んで記憶させ、
前記データ読み取り手段は、
前記音関連データとして、前記複数の無線タグより、前記所定の整列順序に沿って前記複数の音源作用データを順次取得し、
前記音源手段は、
前記順次取得された前記複数の音源作用データにより動作される
ことを特徴とする請求項２記載の無線タグ通信端末。
【請求項７】
前記データ書き込み手段は、
各音指示データ又は各音源作用データとして、和音を構成する複数の音に対応したデータを書き込む
ことを特徴とする請求項４又は請求項６記載の無線タグ通信端末。
【請求項８】
前記データ書き込み手段で、対応する前記複数の音指示データ又は前記複数の音源作用データを書き込んだ、前記所定の楽曲に関する試聴用再生データを格納する試聴データ記憶手段と、
操作者が前記所定の楽曲の試聴を操作指示するための試聴指示手段とを有し、
前記発音手段は、
前記試聴指示手段での操作者の前記操作指示があった場合に、前記試聴データ記憶手段に記憶された前記試聴用再生データに基づき、前記所定の楽曲の少なくとも一部を再生する
ことを特徴とする請求項４又は請求項６記載の無線タグ通信端末。
【発明の詳細な説明】
【技術分野】
【０００１】
本発明は、情報を記憶する無線タグから無線通信を介して情報を読み取る無線タグ通信端末に関する。
【背景技術】
【０００２】
無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。無線タグが汚れている場合や見えない位置に配置されている場合であっても、リーダ／ライタ側より無線タグ情報に対してアクセス（情報の読み取り／書き込み）が可能であり、商品管理や検査工程等の様々な分野において実用化されつつある。
【０００３】
例えばこのＲＦＩＤシステムを書籍の棚卸システムに適用した従来技術として、特許文献１に記載のものがある。この従来技術では、複数の書籍にそれぞれ設けられた無線タグから無線通信を介し読み取った情報と、実際の書籍の数量とを比較し、それらに食い違いが生じるか否かにより、全ての書籍に無線タグが添付されているかどうか（言い換えれば無線タグが添付されていない書籍が存在するかどうか）を効率的にチェックすることを可能としている。
【特許文献１】特許第４０３５９７２号公報（第７頁、第１１図）
【発明の開示】
【発明が解決しようとする課題】
【０００４】
棚卸しを行う対象物が、例えば連続的に番号が付与されたファイル・機器等や整列する人物集団等の、所定の整列順序で整列されたものである場合には、その対象物の数量のみでなく整列順序についてもチェックする必要がある。このとき、上記従来技術では対象物の数量についてはチェックすることが可能であるが、対象物の整列順序が正しいか否かをチェックすることはできなかった。
【０００５】
本発明の目的は、無線タグの配置順序の正誤を検出することで、設置対象の整列順序の狂い、抜け、他の種類の紛れ込み等のチェックなどの群管理を効率的に行うことができる無線タグ通信端末を提供することにある。
【課題を解決するための手段】
【０００６】
上記目的を達成するために、第１発明の無線タグ通信端末は、所定の整列順序で整列して配置される複数の設置対象にそれぞれ設けられ、前記整列順序に対応した音の音関連データがそれぞれ記憶された複数の無線タグに対して、無線通信を行うための通信手段と、前記通信手段を介した無線通信により、前記複数の無線タグより前記所定の整列順序に沿って複数の前記音関連データを順次取得するデータ読み取り手段と、前記データ読み取り手段で順次取得した前記複数の音関連データに基づき動作される音源手段と、前記音源手段からの発音信号に基づき前記楽曲を再生する発音手段とを備え、前記データ読み取り手段で順次取得した前記複数の音関連データに基づき、対応する複数の音を順次連続的に発音し、楽曲として演奏する演奏手段とを有することを特徴とする。
【０００７】
本願第１発明においては、無線タグの設置対象（例えば書類・機器等の収納物品や、整列する人物集団等）が所定の順序で整列配置される。それら複数の設置対象に無線タグがそれぞれ設けられるとき、各無線タグには、その整列した設置対象の並び順に対応した音の音関連データが記憶されている。そして、各無線タグに対し、操作者がデータ読み取り手段を介し並び順に従って読み取りを行い、対応する音関連データを順次取得すると、これら順次取得された音関連データに基づき、音源手段が動作されて発音信号を発生することにより、その発音信号に基づいて発音手段が順次連続的に発音し、結果として所定の楽曲が演奏される。
【０００８】
これにより、操作者が複数の設置対象それぞれに設けた無線タグに対して順に読み取りを行ったとき、所定の楽曲が正しく演奏されればそれら複数の設置対象は正しい順序で整列配置されていることがわかる。逆に、所定の楽曲が一部でも音が抜けたり順序が狂って演奏されれば、それら複数の設置対象のうち少なくとも一部が誤った順序で配置されていることがわかる。このようにして、操作者の音感によって無線タグ（言い換えれば設置対象）の配置順序の正誤を、迅速かつ正確に検出することができる。したがって、例えば物品の棚卸しや人物集団の整列時等において、設置対象の整列順序の狂い、抜け、他の種類の紛れ込み等のチェックなどの、群管理を効率的に行うことができる。
【０００９】
第２発明の無線タグ通信端末は、上記第１発明において、前記通信手段を介した無線通信により、前記所定の楽曲を形成する連続的な複数の音に対応した前記複数の音関連データのそれぞれを、前記所定の整列順序で整列した複数の無線タグのそれぞれに対し、順次書き込んで記憶させるデータ書き込み手段を有することを特徴とする。
【００１０】
設置対象とともに所定の整列順序で配列した複数の無線タグに対し、データ書き込み手段で、その整列した並び順に対応した音の音関連データを順次書き込み、記憶させる。これにより、操作者が、各無線タグに対しデータ読み取り手段で並び順に従って読み取りを行い、対応する音関連データを順次取得すると、取得順に複数の音が順次連続的に発音され、所定の楽曲を演奏することができる。
【００１１】
第３発明の無線タグ通信端末は、上記第２発明において、前記音関連データとして前記複数の無線タグにそれぞれ記憶される、複数の音指示データと、前記複数の音指示データにそれぞれ対応する、前記音源手段の動作用の複数の音源作用データとを、予め関連づけた相関を記憶する、相関記憶手段を設け、前記データ読み取り手段は、前記複数の無線タグより、前記複数の音指示データを順次取得し、前記順次取得した前記複数の音指示データを、前記相関記憶手段に記憶された前記相関に従って、対応する複数の前記音源作用データに変換する音源作用データ生成手段を設け、前記音源手段は、前記音源作用データ生成手段で順次変換された前記複数の音源作用データにより動作されることを特徴とする。
【００１２】
本願第３発明においては、音関連データとして、実際に音源手段を動作するための音源作用データでなく、音指示データを用いる。そして、音指示データと音源作用データとを、予め定めた相関によって互いに関連づけ、相関記憶手段に記憶しておく。これにより、相関によって各音の音指示データと音源作用データとを直接対応づけることができる。この結果、複数の無線タグのそれぞれに記憶させた音指示データをデータ読み取り手段で順次読み取って取得し、その取得した複数の音指示データのそれぞれを、音源作用データ生成手段が相関を用いて対応する音源作用データにそれぞれ変換し、その変換した複数の音源作用データを用いて、音源手段が所定の楽曲を再生することができる。これにより、音源作用データを直接無線タグに記憶させなくても、音源作用データに変換されうる音指示データを記憶するだけで、所定の楽曲を再生することができる。
【００１３】
第４発明の無線タグ通信端末は、上記第３発明において、前記所定の楽曲に対応する複数の前記音源作用データを、前記相関記憶手段に記憶された前記相関に従って、対応する複数の前記音指示データに変換する音指示データ生成手段を有し、前記データ書き込み手段は、前記音指示データ生成手段で生成した前記複数の音指示データのそれぞれを、前記所定の楽曲を形成するような連続的な順序で、前記整列した複数の無線タグのそれぞれに対し、順次書き込んで記憶させることを特徴とする。
【００１４】
所定の楽曲を形成するための連続的な音に対応する複数の音源作用データを、音指示データ生成手段が、相関を用いて対応する音指示データにそれぞれ変換する。その変換した音指示データを、データ書き込み手段が、所定の順序で整列した複数の無線タグのそれぞれに対し、順次書き込んで記憶させる。これにより、各無線タグが記憶した音指示データを、その並び順に沿ってデータ読み取り手段で順次読み取って取得し、各音指示データを相関により変換して得た複数の音源作用データにより、音源手段が所定の楽曲を再生することができる。
【００１５】
このように、音源作用データを直接無線タグに記憶させなくても、音源作用データに変換されうる音指示データを記憶するだけで、所定の楽曲を再生することができる。したがって、音源作用データを直接記憶する場合よりも消費するメモリ容量を少なくすることができる。
【００１６】
第５発明の無線タグ通信端末は、上記第３又は第４発明において、前記音指示データは、前記所定の楽曲における前記複数の音源作用データの並び順に対応した並び順記号、若しくは、各無線タグのタグ識別情報、若しくは、前記音源作用データの音程に対応した音程記号のうち少なくとも１つを含むことを特徴とする。
【００１７】
音指示データとしては、音源作用データと相互に変換可能な、並び順記号、タグ識別情報、音程記号等を用いることができる。音指示データをこのような比較的単純なものとすることで、データ処理を迅速かつ信頼性の高いものとすることが可能となる。
【００１８】
第６発明の無線タグ通信端末は、上記第２発明において、前記データ書き込み手段は、前記所定の楽曲に対応する前記音源手段の動作用の複数の音源作用データのそれぞれを、当該所定の楽曲を形成するような連続的な順序で、前記整列した複数の無線タグのそれぞれに対し、順次書き込んで記憶させ、前記データ読み取り手段は、前記音関連データとして、前記複数の無線タグより、前記所定の整列順序に沿って前記複数の音源作用データを順次取得し、前記音源手段は、前記順次取得された前記複数の音源作用データにより動作されることを特徴とする。
【００１９】
所定の楽曲を形成するための連続的な音に対応する複数の音源作用データを、データ書き込み手段が、所定の順序で整列した複数の無線タグのそれぞれに対し、順次書き込んで記憶させる。そして、複数の無線タグのそれぞれに記憶させた音源作用データをデータ読み取り手段が順次読み取って取得する。その取得した複数の音源作用データを用いることで、音源手段が所定の楽曲を再生することができる。このように音源作用データを直接無線タグに記憶させることで、音指示データを無線タグに記憶させる場合のようなデータの変換が不要となる。この結果、誤変換や変換不良等の発生のおそれがない、信頼性の高い楽曲再生を行うことができる。
【００２０】
第７発明の無線タグ通信端末は、上記第４又は第６発明において、前記データ書き込み手段は、各音指示データ又は各音源作用データとして、和音を構成する複数の音に対応したデータを書き込むことを特徴とする。
【００２１】
これにより、単音の連続によるシンプルな楽曲演奏のみならず、和音を用いた表現豊かな楽曲演奏を行うことが可能となる。これにより、操作者の音感に訴えた無線タグ（言い換えれば設置対象）の配置順序の正誤の検出を、さらに正確に行うことが可能となる。また本来であれば滑らかに心地よく響く和音の連続となるところが単音のみとなったり不協和音となることで、設置対象の整列順序の狂い、抜け、他の種類の紛れ込み等のチェックを行うことも可能となる。これにより、音を用いた群管理の態様を拡張することができ、さらに利便性を向上することができる。
【００２２】
第８発明の無線タグ通信端末は、上記第４又は第６発明において、前記データ書き込み手段で、対応する前記複数の音指示データ又は前記複数の音源作用データを書き込んだ、前記所定の楽曲に関する試聴用再生データを格納する試聴データ記憶手段と、操作者が前記所定の楽曲の試聴を操作指示するための試聴指示手段とを有し、前記発音手段は、前記試聴指示手段での操作者の前記操作指示があった場合に、前記試聴データ記憶手段に記憶された前記試聴用再生データに基づき、前記所定の楽曲の少なくとも一部を再生することを特徴とする。
【００２３】
本願第８発明においては、操作者は、所定の整列順序で並んだ複数の無線タグに対応づける楽曲（読み取りによって再生させる予定の楽曲）の試聴用再生データ（例えば当該楽曲の一部分、主要部、ダイジェスト、イントロのみ等のデータ）を、予め試聴データ記憶手段に格納しておく。そして、設置対象に対し、並びチェック等の群管理を行う際、無線タグに対し読み取りを行う前に、試聴指示手段を操作する。これにより、試聴データ記憶手段に記憶された試聴用再生データに基づき、当該楽曲の少なくとも一部が再生される。この結果、この後無線タグに対し読み取りを行って再生されるはずの楽曲を予め試聴することができるので、設置対象が正しく並んでいるかどうかのチェックを確実に正しく行うことができる。
【発明の効果】
【００２４】
本発明によれば、無線タグの配置順序の正誤を検出することで、設置対象の整列順序の狂い、抜け、他の種類の紛れ込み等のチェックなどの群管理を効率的に行うことができる。
【発明を実施するための最良の形態】
【００２５】
以下、本発明の一実施の形態を図面を参照しつつ説明する。本実施形態は、本発明を物品等の棚卸しを行うための無線タグ通信端末に適用した場合を示している。
【００２６】
図１は、本実施形態の無線タグ通信端末１００の全体構造を表す外観図である。
【００２７】
無線タグ通信端末１００は、情報を記憶するＩＣ回路部１５０及びこのＩＣ回路部１５０に接続されたタグアンテナ１５１を有する無線タグ回路素子Ｔｏ（後述の図５参照）を備えた無線タグＴが設けられた対象物（人物等も含む。以下同様）に対し、棚卸し（数量のチェックのみならず、整列順序の狂い、抜け、他の種類の紛れ込み等のチェックなどを含む）等を行うのに使用される。本実施形態では、この棚卸しの利便性を向上するために、無線タグ通信端末１００は、所定の楽曲を再生するためのスピーカ２８等を備えている。
【００２８】
すなわち、無線タグ通信端末１００は、筐体１を有する。そして、その筐体１には、図中上側より、検出ランプ１１及び送信出力インジケータ１２と、各種表示を行う表示部１３と、左右方向に略一直線状に配置され、５つの処理モードの中からモード選択を行うモード選択キー２１，２２，２３，２４，２５と、上下方向にそれぞれ対応する方向キー２６Ｕ，２６Ｄ及びこれらの間に配置された決定キー２７と、これらのキー２６，２７の右側に配置され、棚卸時における楽曲の再生等を行うためのスピーカ２８（発音手段）と、上記楽曲を試聴するための再生を手動指示するための試聴再生ボタン３０（試聴指示手段）と、上記各処理モードにおける処理開始・停止を行う開始／停止キー２９とを有している。なお、以下適宜、これらのキー２１，２２，２３，２４，２５，２６Ｕ，２６Ｄ，２７，２９及び試聴再生ボタン３０を「操作部」と記載する。
【００２９】
上記表示部１３は、例えば液晶や有機ＥＬ等を用いたパネルで構成されている。この表示部１３は、無線タグ通信端末１００が行う各種の処理モードの切換状況や各処理モードにおける詳細内容（各種情報やメッセージ）を文字や記号で表示すると共に、所定の処理モード（後述する棚卸モード）においては、対象物が収納される場所及びこれに対応付けられた楽曲の名称を表示する。
【００３０】
なお、本実施形態における「楽曲」は、所定のメロディを有する楽曲のみでなく、単なる「ドレミファソラシド」からなる音階をも含むものである。またメロディを有する楽曲としては、例えば「チューリップ」（作曲：井上武士）や「きらきら星」（作曲者不詳）のように、一般的にメロディが周知である楽曲が好ましい。
【００３１】
図示する例では、操作者が棚卸し場所として「資料室  棚Ａの２段目」を選択し、且つ対応付けられた楽曲である音階「ドレミファソラシド」を試聴している状態を表示している。この試聴の際には、表示部１３内の下部に試聴時間バー１５が表示され、楽曲をどこまで再生したかがわかるようになっている。なお、表示部１３内の左上端部には選択された処理モードの名称が表示されており、また表示部１３内の中央部付近には複数の棚卸し場所及び対応付けられた楽曲名が、上下にスクロールされつつ表示可能となっている。これにより、操作者は方向キー２６Ｕ，２６Ｄ及び決定キー２７を用いて、複数の棚卸し場所から所望の棚卸し場所を選択可能となっている。
【００３２】
上記処理モードには、上記モード選択キー２１，２２，２３，２４，２５にそれぞれ対応するシングルサーチモード、マルチサーチモード、棚卸モード、リストアップモード、及び書き込みモードがある。
【００３３】
シングルサーチモードとは、１つの探索対象を指定し、当該探索対象（に対応する無線タグＴ。以下同様）が無線タグ通信端末１００の通信可能領域Ｓ（後述の図６等参照）の範囲内に存在しているか否かを常に問いかけるよう通信し続ける処理モードである。また、マルチサーチモードとは、複数の探索対象を指定し、当該複数の探索対象が無線タグ通信端末１００の通信可能領域Ｓの範囲内に存在しているか否かを常に問いかけるよう通信し続ける処理モードである。また、リストアップモードとは、探索対象の指定は行わず、無線タグ通信端末１００の通信可能領域Ｓの範囲内に存在する探索対象と無線通信を行い、検出した探索対象を全てリストアップする処理モードである。
【００３４】
また、棚卸モードとは、所定の整列順序で整列して配置される複数の対象物（本実施形態ではファイルＦ。後述の図６等参照）の各無線タグＴから無線通信を介して所定の楽曲を構成する１つ１つの音に対応する音指示データを順次取得し、当該音指示データに対応する音を順次発音させて上記楽曲を再生することにより、操作者が音感によって対象物の数量、整列順序の狂い、抜け、他の種類の紛れ込み等のチェックを行うための処理モードである。さらに、書き込みモードとは、上記音指示データを、楽曲を形成するような連続的な順序で複数の対象物の各無線タグＴに対し書き込むための処理モードである。
【００３５】
なお、上述の楽曲の再生は、上記シングルサーチモード及びマルチサーチモード、リストアップモード、及び書き込みモードでは行われず、棚卸モードにおいてのみ行われる。
【００３６】
また、上記検出ランプ１１は、ＬＥＤなどの発光素子を用いた表示機能部であり、点灯・非点灯の区別によって指定した探索対象の検出の有無を表示するものである。また、送信出力インジケータ１２は、図中の上下方向に並ぶ３つのＬＥＤ１２ａ，１２ｂ，１２ｃで構成されており、それらの点灯個数によって送信出力の大きさを段階的に表示（図示する例では３段階で表示）するものである。
【００３７】
また、上下方向にそれぞれ配置されている２つの方向キー２６Ｕ，２６Ｄは、それぞれの位置関係に対応して上下の方向を指示可能に割り当てられたキースイッチであり、表示部１３中に表示されるカーソル１４の移動指示などに用いられる。また、２つの方向キー２６Ｕ，２６Ｄの中心に配置されている決定キー２７は、上記カーソル１４により選択された選択肢の決定指示などに用いられる。
【００３８】
また、開始／停止キー２９は、対象物の無線タグラベルＴに対して無線通信による情報読み取り又は書き込みを行うための各種コマンドや情報の送信の開始（無線通信の開始）及び停止を指示するために用いられるキースイッチである。
【００３９】
図２は、無線タグ通信端末１００の機能構成を表す機能ブロック図である。
【００４０】
無線タグ通信端末１００は、上記表示部１３及び操作部２１〜２７，２９，３０と、上記無線タグＴの無線タグ回路素子Ｔｏとの間で無線通信により信号の授受を行うリーダアンテナ２（通信手段）と、このリーダアンテナ２を介し上記無線タグ回路素子ＴｏのＩＣ回路部１５０へ無線通信によりアクセスすると共に、その無線タグ回路素子Ｔｏから読み出された信号を処理する高周波回路３１と、楽曲に対応するＭＩＤＩ（Ｍｕｓｉｃａｌ  Ｉｎｓｔｒｕｍｅｎｔ  Ｄｉｇｉｔａｌ  Ｉｎｔｅｒｆａｃｅ。登録商標）データ等の楽曲データ（楽曲を構成する各音に対応する音源作用データの集合）や後述する相関テーブル等が記憶される音源作用データ記憶部３２（相関記憶手段、試聴データ記憶手段）と、各無線タグＴから無線通信を介して取得した音指示データに対応して上記音源作用データ記憶部３２から取得した音源作用データに基づき、ＭＩＤＩ音源等の音源を動作させ対応する楽曲を再生させる音声デコーダ３６と、この音声デコーダ３６からの出力を増幅するアンプ３８と、アンプ３８で増幅された出力で動作される上記スピーカ２８と、上記高周波回路３１及び表示部１３等を含む無線タグ通信端末１００全体の制御を行う制御回路３３とを有する。上記音源作用データ記憶部３２に記憶される音源作用データには、音源を動作させて所定の音を再生するための、音程（「ド」「レ」「ミ」「ファ」「ソ」「ラ」「シ」「ド」）、音色、音量、及び音の長さ等に関する情報が含まれている。
【００４１】
なお、上記音声デコーダ３６が、特許請求の範囲各項記載のデータ読み取り手段で順次取得された複数の音関連データに基づき動作される音源手段を構成し、スピーカ２８が音源手段からの発音信号に基づき楽曲を再生する発音手段を構成し、これら音声デコーダ３６及びスピーカ２８と、アンプ３８とが、データ読み取り手段で順次取得した複数の音関連データに基づき、対応する複数の音を順次連続的に発音し、楽曲として演奏する演奏手段を構成する。
【００４２】
図３は、上記無線タグ通信端末１００の制御回路３３の機能構成を表す機能ブロック図である。
【００４３】
図３に示すように、制御回路３３は、ＣＰＵ３３Ａと、ＲＯＭ３３Ｂと、ＲＡＭ３３Ｃと、上記高周波回路３１及び上記リーダアンテナ２を介し行う無線タグ回路素子Ｔｏとの無線通信の制御を行う無線タグ通信制御部３３Ｄとを備えている。上記ＣＰＵ３３Ａは、ＲＡＭ３３Ｃの一時記憶機能を利用しつつＲＯＭ３３Ｂに予め記憶されたプログラムに従って信号処理を行い、それによって無線タグ通信端末１００全体の各種制御を行うものである。
【００４４】
図４は、上記無線タグ通信端末１００の高周波回路３１の機能構成を表す機能ブロック図である。
【００４５】
図４に示すように、高周波回路３１は、上記リーダアンテナ２を介し上記無線タグ回路素子ＴｏのＩＣ回路部１５０の情報へアクセスするものであり、また無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４６】
高周波回路３１は、リーダアンテナ２を介し無線タグ回路素子Ｔｏに対して信号を送信する送信部１４２と、リーダアンテナ２により受信された無線タグ回路素子Ｔｏからの応答波を入力する受信部１４３と、送受分離器１４４とから構成される。
【００４７】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路３３の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３３から供給される信号に基づいて上記発生させられた搬送波を変調（この例では制御回路３３からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路３３からの「ＴＸ＿ＰＷＲ」信号によって増幅率が決定される増幅）して所望の質問波を生成する可変送信アンプ１４７とを備えている。そして、上記発生される搬送波は、例えばＵＨＦ帯、マイクロ波帯、あるいは短波帯の周波数を用いており、上記可変送信アンプ１４７の出力は、送受分離器１４４を介しリーダアンテナ２に伝達されて無線タグ回路素子ＴｏのＩＣ回路部１５０に供給される。なお、質問波は上記のように変調した信号（変調波）に限られず、単なる搬送波のみの場合もある。
【００４８】
受信部１４３は、リーダアンテナ２で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記リーダアンテナ２で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路３３に入力されて処理される。
【００４９】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路３３に入力されるようになっている。このようにして、無線タグ通信端末１００では、Ｉ−Ｑ直交復調によって無線タグ回路素子Ｔｏからの応答波の復調が行われる。
【００５０】
図５は、上記無線タグ回路素子Ｔｏの機能的構成の一例を表す機能ブロック図である。
【００５１】
図５に示すように、無線タグ回路素子Ｔｏは、上述したように無線タグ通信端末１００のリーダアンテナ２と非接触で信号の送受信を行う上記タグアンテナ１５１と、このタグアンテナ１５１に接続された上記ＩＣ回路部１５０とを有している。
【００５２】
ＩＣ回路部１５０は、タグアンテナ１５１により受信された質問波（質問信号）を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介して上記無線タグ回路素子Ｔｏの作動を制御するための上記制御部１５７とを備えている。
【００５３】
変復調部１５６は、タグアンテナ１５１により受信された上記無線タグ通信端末１００のリーダアンテナ２からの質問波の復調を行い、また、上記制御部１５７からの返信信号を変調し、タグアンテナ１５１より応答波（タグＩＤを含む信号）として送信する。
【００５４】
クロック抽出部１５４は受信した信号からクロック成分を抽出し、当該クロック成分の周波数に対応したクロックを制御部１５７に供給する。
【００５５】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５６】
以上のような構成である本実施形態の無線タグ通信端末１００の最大の特徴は、棚卸し対象である複数の対象物（本実施形態ではファイルＦ。後述の図６及び図７参照）に設けられた各無線タグＴに対し、無線通信を介して情報の読み取りを行い、対応する音指示データを順次取得すると、取得順に複数の音が順次連続的に発音され、結果として所定の楽曲が演奏される点にある。その結果、所定の楽曲が正しく演奏されればそれら複数の対象物は正しい順序で整列配置されていることがわかる。逆に、所定の楽曲が一部でも音が抜けたり順序が狂って演奏されれば、それら複数の物品のうち少なくとも一部が誤った順序で配置されていることがわかる。このようにして、操作者の音感によって対象物の配置順序の正誤を、迅速かつ正確に検出することができるようになっている。
【００５７】
図６（Ａ）及び図６（Ｂ）は、本実施形態の無線タグ通信端末１００による棚卸し時の動作の一例を表す図である。
【００５８】
これら図６（Ａ）及び図６（Ｂ）において、無線タグＴの設置対象である複数（この例では８冊）のファイルＦ１〜Ｆ８は、ファイルＦ１〜Ｆ８の順序で整列して配置されている。これらファイルＦ１〜Ｆ８には、その並び順に対応した音指示データ（この例では整理記号。後述の図８参照）がそれぞれ記憶された無線タグ回路素子Ｔｏを備えた無線タグＴ１〜Ｔ８がそれぞれ設けられている。これら無線タグＴ１〜Ｔ８の無線タグ回路素子Ｔｏに記憶された音指示データは、「ド」「レ」「ミ」「ファ」「ソ」「ラ」「シ」「ド」の音にそれぞれ対応している。
【００５９】
棚卸しの際に、操作者が、無線タグ通信端末１００の通信可能領域Ｓ内に各無線タグＴ１〜Ｔ８が入るように、無線タグ通信端末１００をファイルＦ１側（図６中左側）からファイルＦ８側（図６中右側）に向かって移動させると、各無線タグＴ１〜Ｔ８に対し、無線通信によりリーダアンテナ２を介して情報の読み取りが行われ、対応する音指示データが順次取得される。この結果、無線タグ通信端末１００においては、音指示データの取得順に複数の音がスピーカ２８より順次連続的に発音され、結果として音階「ドレミファソラシド」が演奏される。なお、図６（Ａ）は対象物に対する情報読み取りが途中まで行われた状態を表しており、この例では無線タグ通信端末１００によりファイルＦ１〜Ｆ３（無線タグＴ１〜Ｔ３）までの音指示データの取得が行われ、スピーカ２８より対応する音階「ドレミ」が再生された状態を表している。また、図６（Ｂ）は対象物に対する情報読み取りが完了した状態を表しており、ファイルＦ１〜Ｆ８（無線タグＴ１〜Ｔ８）までの全てのファイルＦについての音指示データの取得が行われ、スピーカ２８より対応する音階「ドレミファソラシド」が再生された状態を表している。
【００６０】
図７（Ａ）及び図７（Ｂ）は、ファイルＦが正しい順序で整列配置されていない場合における、無線タグ通信端末１００による棚卸し時の動作の一例を表す図である。
【００６１】
図７（Ａ）は、ファイルＦ１〜Ｆ８のうちファイルＦ３が抜けて整列されている場合を表している。この場合には、図に示すように、無線タグ通信端末１００において、ファイルＦ３（無線タグＴ３）に対応する音「ミ」が抜けた音階「ドレファソラシド」がスピーカ２８より再生されることから、操作者はファイルＦ３が抜けていることを認識できる。
【００６２】
図７（Ｂ）は、ファイルＦ１〜Ｆ８の並びのうち、ファイルＦ６とファイルＦ７とが反対の順序に整列されている場合を表している。この場合には、図に示すように、無線タグ通信端末１００において、ファイルＦ６（無線タグＴ６）とファイルＦ７（無線タグＴ７）に対応する音「ラ」と「シ」が反対の順序になった音階「ドレミファソシラド」がスピーカ２８より再生されることから、操作者はファイルＦ６とファイルＦ７とが反対の順序に整列されていることを認識できる。
【００６３】
なお、詳細には説明しないが、以上のようにして本実施形態の無線タグ通信端末１００で情報の読み取りを行う際には、例えば送信出力を適宜の大きさに調節したり、操作者が読み取り時に無線タグ通信端末１００と無線タグＴとの距離を適宜の距離に調節したり、あるいは読み取り対象である各無線タグＴ間の距離を適宜の距離に調節することで、各無線タグＴに対し隣のタグを一緒に読み取ることなく並び順どおり読み取ることができるようになっている。
【００６４】
図８は、上記図６及び図７に示す例において、上記音源作用データ記憶部３２に記憶された相関テーブルの内容を表す図である。
【００６５】
この図８に示す相関テーブルは、各無線タグＴ１〜Ｔ８の無線タグ回路素子Ｔｏにそれぞれ記憶させる音指示データとしての整理記号（整列順序を通し番号で表すものであり、最後の音に対応する整理記号は楽曲を構成する音の数に等しくなる）と、各整理記号にそれぞれ対応する音源作用データ（ＭＩＤＩデータ等）との相関を表すテーブルである。すなわち、無線タグ通信端末１００において、制御回路３３の上記ＣＰＵ３３Ａは、ファイルＦに設けられた無線タグＴに対し情報読み取りを行い整理記号を取得すると、上記音源作用データ記憶部３２に記憶された相関テーブルを参照することにより対応する音源作用データを特定し（言い換えれば、取得した整理記号を対応する音源作用データに変換し）、当該音源作用データを音声デコーダ３６に出力する。これにより、音声デコーダ３６で整理記号に対応する音が再生され、スピーカ２８を介して発音されるようになっている。
【００６６】
なお、上記整理記号が、特許請求の範囲各項記載の音関連データとして複数の無線タグにそれぞれ記憶される音指示データに相当すると共に、音源作用データの並び順に対応した並び順記号に相当し、この整理記号と上記音源作用データとが、整列順序に対応した音の音関連データに相当する。
【００６７】
なお、上記相関テーブルは、書き込みモード処理を行うごとに作成され、各棚卸し場所に対応して音源作用データ記憶部３２に記憶されるようになっている。また、前述したように音源作用データは音程、音色、音量、音の長さ等に関する情報を含むものであるが、この図８ではそのうちの音程情報のみ図示している。その他の音色、音量、音の長さ等については、全整理記号に共通して所定の内容に予め設定されている（例えばピアノの音色、７０ｄＢ、０．５秒等）。
【００６８】
なお、上記図６乃至図８に示す例では、棚卸し対象であるファイルＦが８冊であり、音階「ドレミファソシラド」が１オクターブ内となる場合を例にとって説明したが、対象物の数がさらに多い場合には、音階「ドレミファソシラド」を複数のオクターブに亘るように演奏すればよい（又は１オクターブ内において音階「ドレミファソラシド」を繰り返してもよい）。また、上記の例では、再生される楽曲を単なる音階「ドレミファソラシド」としたが、例えば前述した「チューリップ」や「きらきら星」のような周知のメロディを有する楽曲が再生されるようにしてもよい。
【００６９】
図９は、上述した書き込みモードにおいて、制御回路３３（ＣＰＵ３３Ａ）によって実行される制御内容を表すフローチャートである。
【００７０】
ステップＳ５では、制御回路３３は、無線タグＴの無線タグ回路素子Ｔｏに対し書き込む整理記号の順番をカウントするための変数Ｎを１に初期化する。
【００７１】
ステップＳ１０では、制御回路３３は、表示部１３に制御信号を出力し、音源作用データ記憶部３２に予め登録されている楽曲のリストを表示させる。
【００７２】
ステップＳ２０では、制御回路３３は、上記楽曲リストの中から所望の楽曲が操作者により選択されたか否かを、方向キー２６Ｕ，２６Ｄ及び決定キー２７等から入力される信号に基づいて判定する。操作者により楽曲の選択が行われるまで本ステップを繰り返し、楽曲が選択された場合には、判定が満たされてステップＳ３０に移る。
【００７３】
ステップＳ３０では、制御回路３３は、上記選択された楽曲に対応する楽曲データ（楽曲を構成する各音に対応する音源作用データの集合）を音源作用データ記憶部３２から読み出し、当該楽曲データを構成する各音源作用データを整理記号に変換する（すなわち楽曲を構成する各音に対し順番に通し番号を付していく）。なお、このときの整理記号と音源作用データとの相関は、相関テーブルとして音源作用データ記憶部３２に記憶される。
【００７４】
ステップＳ３５では、制御回路３３は、無線タグＴの無線タグ回路素子Ｔｏへの整理記号の書き込みを開始するか否かを、開始／停止キー２９から入力される信号に基づいて判定する。操作者により開始／停止キー２９が押され、書き込み開始指示がなされるまで本ステップを繰り返し、書き込み開始指示がなされた場合には、判定が満たされてステップＳ４０に移る。
【００７５】
ステップＳ４０では、制御回路３３は、上記高周波回路３１に制御信号を送信し、例えばＵＨＦ帯（例えば９５０ＭＨｚ）の搬送波を発生させ、制御信号に基づいて発生した搬送波を変調・増幅させ、リーダアンテナ２を介し、通信可能領域Ｓ内に存在する無線タグＴの無線タグ回路素子ＴｏのＩＣ回路部１５０に対して読み取りコマンドを送信する。
【００７６】
ステップＳ５０では、制御回路３３は、通信可能領域Ｓ内に存在する無線タグＴの無線タグ回路素子ＴｏのＩＣ回路部１５０から上記読み取りコマンドに対応したリプライ信号（応答信号）を受信し、当該受信したリプライ信号に基づき、対応する無線タグＴの無線タグ回路素子ＴｏのタグＩＤを取得したか否かを判定する。タグＩＤを取得できなかった場合には、判定が満たされずに上記ステップＳ４０に戻る。一方、タグＩＤを取得できた場合には、判定が満たされてステップＳ６０に移る。
【００７７】
ステップＳ６０では、制御回路３３は、上記高周波回路３１に制御信号を送信し、例えばＵＨＦ帯（例えば９５０ＭＨｚ）の搬送波を発生させ、制御信号に基づいて発生した搬送波を変調・増幅させ、リーダアンテナ２を介し、上記取得したタグＩＤに対応する無線タグＴの無線タグ回路素子ＴｏのＩＣ回路部１５０に対して、Ｎ番目の整理記号を書き込むための書き込みコマンドを送信する。
【００７８】
ステップＳ７０では、制御回路３３は、無線タグＴの無線タグ回路素子Ｔｏへの整理記号の書き込みを終了するか否かを、開始／停止キー２９から入力される信号に基づいて判定する。操作者により開始／停止キー２９が押されず、書き込み終了指示がなされていない場合には、判定が満たされずにステップＳ７５に移る。
【００７９】
ステップＳ７５では、制御回路３３は、上記変数Ｎに１を加え、その後先のステップＳ４０に戻り、再び無線タグＴよりタグＩＤの取得を行うと共に、及び整理記号の書き込みを行う。
【００８０】
一方、上記ステップＳ７０において、操作者により開始／停止キー２９が押され、書き込み終了指示がなされた場合には、判定が満たされてステップＳ８０に移る。
【００８１】
ステップＳ８０では、制御回路３３は、上記ステップＳ２０で選択された楽曲に対応する上記楽曲データと、上記ステップＳ３０で作成された相関テーブルとを対応付けて、適宜のタイトル（例えば棚卸し場所及び楽曲名等。前述の図１参照）を付して音源作用データ記憶部３２に記憶する。このタイトルは、操作者により方向キー２６Ｕ，２６Ｄ及び決定キー２７等を介して入力されるようになっている。そして、本フローを終了する。
【００８２】
なお、上記では特に説明しなかったが、棚卸し対象である対象物の数が、選択した楽曲を構成する音の数よりも多い場合には、同じ楽曲を繰り返すように整理記号を書き込む。すなわち、楽曲の最後の音に対応する整理記号を書き込んだ後、次の無線タグＴの無線タグ回路素子Ｔｏに対しては、楽曲の最初の音に対応する整理記号を書き込み、その後同様の手順を行うようになっている。
【００８３】
上記において、ステップＳ６０が、特許請求の範囲各項記載の通信手段を介した無線通信により、所定の楽曲を形成する連続的な複数の音に対応した複数の音関連データのそれぞれを、所定の整列順序で整列した複数の無線タグのそれぞれに対し、順次書き込んで記憶させるデータ書き込み手段を構成する。またステップＳ３０が、所定の楽曲に対応する複数の音源作用データを、相関記憶手段に記憶された相関に従って、対応する複数の音指示データに変換する音指示データ生成手段を構成する。
【００８４】
図１０は、上述した棚卸モードにおいて、制御回路３３（ＣＰＵ３３Ａ）によって実行される制御内容を表すフローチャートである。
【００８５】
ステップＳ１０５では、制御回路３３は、表示部１３に制御信号を出力し、前述した書き込み処理が実行されることにより音源作用データ記憶部３２に登録されている棚卸し場所（及び楽曲名）リストを表示させる。
【００８６】
ステップＳ１１０では、制御回路３３は、上記棚卸し場所リストの中から所望の棚卸し場所が操作者により選択されたか否かを、方向キー２６Ｕ，２６Ｄ及び決定キー２７等から入力される信号に基づいて判定する。操作者により棚卸し場所の選択が行われるまで本ステップを繰り返し、楽曲が選択された場合には、判定が満たされてステップＳ１１５に移る。
【００８７】
ステップＳ１１５では、制御回路３３は、操作者が上記選択された棚卸し場所に対応する楽曲を試聴するか否かを、上記試聴再生ボタン３０から入力される信号に基づいて判定する。操作者により試聴再生ボタン３０が押された場合には、判定が満たされてステップＳ１２０に移り、制御回路３３は、上記選択された棚卸し場所に関連付けられた楽曲データを音源作用データ記憶部３２から読み出し、音声デコーダ３６に制御信号を出力して上記楽曲データに基づき対応する楽曲を再生させる。なお、楽曲の再生中に再度試聴再生ボタン３０が押されると、制御回路３３は楽曲の再生を終了させる。すなわち、操作者は操作に応じて楽曲を少なくとも一部（全部又は途中まで）試聴することが可能となっている。その後、ステップＳ１２５に移る。なお、上記ステップＳ１１５において、操作者により試聴再生ボタン３０が押されなかった場合には、判定が満たされずにステップＳ１２５に直接移る。
【００８８】
ステップＳ１２５では、制御回路３３は、無線タグＴの無線タグ回路素子Ｔｏからの情報読み取りを開始するか否かを、開始／停止キー２９から入力される信号に基づいて判定する。読み取り開始指示がなされない場合には、判定が満たされずに上記ステップＳ１１５に戻る。一方、操作者により開始／停止キー２９が押され、読み取り開始指示がなされた場合には、判定が満たされてステップＳ１３０に移る。
【００８９】
ステップＳ１３０では、制御回路３３は、上記高周波回路３１に制御信号を送信し、例えばＵＨＦ帯（例えば９５０ＭＨｚ）の搬送波を発生させ、制御信号に基づいて発生した搬送波を変調・増幅させ、リーダアンテナ２を介し、通信可能領域Ｓ内に存在する無線タグＴの無線タグ回路素子ＴｏのＩＣ回路部１５０に対して読み取りコマンドを送信する。
【００９０】
ステップＳ１３５では、制御回路３３は、通信可能領域Ｓ内に存在する無線タグＴの無線タグ回路素子ＴｏのＩＣ回路部１５０から上記読み取りコマンドに対応したリプライ信号（応答信号）を受信し、当該受信したリプライ信号に基づき、対応する無線タグＴの無線タグ回路素子ＴｏのタグＩＤを取得したか否かを判定する。タグＩＤを取得できなかった場合には、判定が満たされずに上記ステップＳ１３０に戻る。一方、タグＩＤを取得できた場合には、判定が満たされてステップＳ１４０に移る。
【００９１】
ステップＳ１４０では、制御回路３３は、上記高周波回路３１に制御信号を送信し、例えばＵＨＦ帯（例えば９５０ＭＨｚ）の搬送波を発生させ、制御信号に基づいて発生した搬送波を変調・増幅させ、リーダアンテナ２を介し、上記取得したタグＩＤに対応する無線タグＴの無線タグ回路素子ＴｏのＩＣ回路部１５０から、整理記号を読み取るための読み取りコマンドを送信する。
【００９２】
ステップＳ１４５では、制御回路３３は、上記ステップＳ１１０で選択された棚卸し場所に関連付けられた相関テーブルを音源作用データ記憶部３２から読み出し、上記ステップＳ１４０で無線タグ回路素子Ｔｏから取得した整理記号が当該相関テーブルに登録されているか否かを判定する。登録されていない場合には、判定が満たされずにステップＳ１４７に移る。
【００９３】
ステップＳ１４７では、制御回路３３は、図示しない報知手段に制御信号を出力し、整理記号は登録されていなかったが所定の無線タグＴから情報が読み取れた（言い換えれば、異なる種類の無線タグＴが存在する）ことを報知するための報知音（例えば音源とは別のビープ音等）を鳴動させる。その後、後述のステップＳ１６０に移る。
【００９４】
一方、上記ステップＳ１４５において、整理記号が当該相関テーブルに登録されている場合には、判定が満たされてステップＳ１５０に移る。
【００９５】
ステップＳ１５０では、制御回路３３は、上記ステップＳ１４０で無線タグ回路素子Ｔｏから取得した整理記号を、上記相関テーブルを参照することにより、対応する音源作用データに変換する。
【００９６】
ステップＳ１５５では、制御回路３３は、音声デコーダ３６に制御信号を出力し、上記ステップＳ１５０で変換した音源作用データに基づき対応する音を再生させる。
【００９７】
ステップＳ１６０では、制御回路３３は、無線タグＴの無線タグ回路素子Ｔｏからの整理記号の読み取りを終了するか否かを、開始／停止キー２９から入力される信号に基づいて判定する。操作者により開始／停止キー２９が押されず、読み取り終了指示がなされていない場合には、判定が満たされずに先のステップＳ１３０に戻る。一方、操作者により開始／停止キー２９が押され、読み取り終了指示がなされた場合には、判定が満たされて本フローを終了する。
【００９８】
上記において、ステップＳ１４０は、特許請求の範囲各項記載の通信手段を介した無線通信により、複数の無線タグより所定の整列順序に沿って複数の音関連データを順次取得するデータ読み取り手段を構成し、またステップＳ１５０が、順次取得した複数の音指示データを、相関記憶手段に記憶された相関に従って、対応する複数の音源作用データに変換する音源作用データ生成手段を構成する。
【００９９】
以上説明した実施形態においては、無線タグＴの設置対象であるファイルＦが所定の順序で整列配置される。それら複数のファイルＦに無線タグＴがそれぞれ設けられるとき、各無線タグＴには、その整列した設置対象の並び順に対応した音指示データ（上記実施形態では整理記号。以下同様）が記憶されている。そして、各無線タグＴに対し、操作者が無線タグ通信端末１００を用いてリーダアンテナ２を介し並び順に従って読み取りを行い、対応する音指示データを順次取得すると、取得順に複数の音が順次連続的に発音され、結果として所定の楽曲が演奏される。
【０１００】
これにより、操作者が複数のファイルＦそれぞれに設けた無線タグＴに対して順に読み取りを行ったとき、所定の楽曲が正しく演奏されればそれら複数のファイルＦは正しい順序で整列配置されていることがわかる。逆に、所定の楽曲が一部でも音が抜けたり順序が狂って演奏されれば、それら複数のファイルＦのうち少なくとも一部が誤った順序で配置されていることがわかる。このようにして、操作者の音感によって無線タグＴ（言い換えればファイルＦ）の配置順序の正誤を、迅速かつ正確に検出することができる。したがって、ファイルＦの棚卸し時において、ファイルＦの整列順序の狂い、抜け、他の種類のファイルの紛れ込み等のチェックなどの、群管理を効率的に行うことができる。
【０１０１】
また、本実施形態では特に、ファイルＦとともに所定の整列順序で配列した複数の無線タグＴに対し、無線タグ通信端末１００で、その整列した並び順に対応した音指示データを順次書き込み、記憶させる。これにより、操作者が、各無線タグＴに対し無線タグ通信端末１００で並び順に従って読み取りを行い、対応する音指示データを順次取得すると、取得順に複数の音が順次連続的に発音され、所定の楽曲を演奏することができる。
【０１０２】
また、本実施形態では特に、無線タグＴに記憶させる音指示データとして、実際に音源を動作するための音源作用データでなく、整理記号を用いる。そして、整理記号と音源作用データとを、予め定めた相関によって互いに関連づけ、相関テーブルとして音源作用データ記憶部３２に記憶しておく。これにより、相関によって各整理記号と音源作用データとを直接対応づけることができる。この結果、複数の無線タグＴのそれぞれに記憶させた整理記号を無線タグ通信端末１００で順次読み取って取得し、その取得した複数の整理記号のそれぞれを、相関テーブルを用いて対応する音源作用データにそれぞれ変換し、その変換した複数の音源作用データを用いて、音声デコーダ３６が所定の楽曲を再生することができる。これにより、音源作用データを直接無線タグＴに記憶させなくても、音源作用データに変換されうる整理記号を記憶するだけで、所定の楽曲を再生することができる。その結果、無線タグＴに音源作用データを直接記憶する場合よりも、無線タグＴ（無線タグ回路素子ＴｏのＩＣ回路部１５０のメモリ部１５５）のメモリ使用量を節減することができる。また、このように無線タグＴに記憶させる音指示データを比較的単純なものとすることで、データ処理を迅速かつ信頼性の高いものとすることができる。
【０１０３】
また、本実施形態では特に、書き込み処理において、操作者により選択された所定の楽曲を形成するための連続的な音に対応する複数の音源作用データを、対応する整理記号にそれぞれ変換する。その変換した整理記号を、無線タグ通信端末１００により、所定の順序で整列した複数のファイルＦの無線タグＴのそれぞれに対し、順次書き込んで記憶させる。これにより、例えば無線タグ作成装置等を用いて、楽曲を構成する複数の音源作用データに対応する複数の整理記号を、各無線タグ回路素子Ｔｏに対しそれぞれ書き込みつつ無線タグＴを１つずつ作成するといったことが不要となり、操作者は複数の無線タグＴに対し無線タグ通信端末１００を移動しながらかざすだけで、容易且つ効率的に複数の無線タグＴに整理記号を記憶させることができる。
【０１０４】
また、本実施形態では特に、操作者は、ファイルＦに対し、並びチェック等の棚卸しを行う際、無線タグＴに対し情報読み取りを行う前に、試聴再生ボタン３０を操作する。これにより、音源作用データ記憶部３２に記憶された楽曲データに基づき、当該楽曲データの少なくとも一部が再生される。この結果、操作者は、この後無線タグＴに対し情報読み取りを行って再生されるはずの楽曲を予め試聴することができるので、ファイルＦが正しく並んでいるかどうかのチェックを確実に正しく行うことができる。
【０１０５】
なお、本発明は、上記実施形態に限られるものではなく、その趣旨及び技術的思想を逸脱しない範囲内で種々の変形が可能である。以下、そのような変形例を順を追って説明する。
【０１０６】
（１）無線タグＴに記憶させる音指示データのバリエーション
上記実施形態では、無線タグＴの無線タグ回路素子Ｔｏに音指示データとして整理記号を記憶させるようにしたが、これに限られない。例えば、音源作用データの音程に対応した音程記号（「ド」「レ」「ミ」「ファ」「ソ」「ラ」「シ」「ド」）や、無線タグ回路素子Ｔｏを識別するためのタグ識別情報であるタグＩＤを、音指示データとして記憶させてもよい。この場合も、上記実施形態と同様に、各音程記号又は各タグＩＤと、それぞれに対応する音源作用データとの相関を表す相関テーブルを、音源作用データ記憶部３２に記憶させておけばよい。この場合において、上記音程記号又はタグＩＤは、特許請求の範囲各項記載の音関連データとして複数の無線タグにそれぞれ記憶される音指示データに相当し、これら音程記号又はタグＩＤと上記音源作用データとが、整列順序に対応した音の音関連データに相当する。
【０１０７】
また、無線タグＴの無線タグ回路素子Ｔｏに、音源作用データそのものを記憶させるようにしてもよい。このように音源作用データを直接無線タグＴに記憶させることで、音指示データ（整理記号）を無線タグＴに記憶させる場合のようなデータの変換（図９中ステップＳ３０、図１０中ステップＳ１５０）が不要となる。この結果、制御内容を簡易にすることができ、誤変換や変換不良等の発生のおそれがない、信頼性の高い楽曲再生を行うことができる。また、音源作用データ記憶部３２に相関テーブルを記憶させる必要がなくなり、音源作用データ記憶部３２のメモリ使用量を節減できる効果もある。なお、この場合において、無線タグＴに記憶された音源作用データは、特許請求の範囲各項記載の整列順序に対応した音の音関連データに相当する。
【０１０８】
（２）楽曲を和音で再生する場合
上記実施形態では、所定の楽曲が単音のみにより再生されるようにしたが、和音で再生可能な構成としてもよい。この場合、前述した無線タグＴに記憶される整理記号と、和音に対応する複数の音源作用データとを関連付けて、相関テーブルとして記憶させておけばよい。これにより、単音の連続によるシンプルな楽曲演奏のみならず、和音を用いた表現豊かな楽曲演奏を行うことができる。その結果、操作者の音感に訴えた無線タグＴ（言い換えればファイルＦ）の配置順序の正誤の検出を、さらに正確に行うことができる。また本来であれば滑らかに心地よく響く和音の連続となるところが単音のみとなったり不協和音となることで、ファイルの整列順序の狂い、抜け、他の種類のファイルの紛れ込み等のチェックを行うこともできる。これにより、音を用いた群管理の態様を拡張することができ、さらに利便性を向上することができる。
【０１０９】
（３）１つの無線タグに複数の音指示データを記憶させる場合
上記実施形態では、１つの無線タグＴの無線タグ回路素子Ｔｏに対し１つの音指示データ（上記実施形態では整理記号）を記憶させるようにしたが、これに限られず、１つの無線タグＴに対し、複数（例えば２〜３音、あるいは楽曲の１小節分等）の音指示データを記憶させるようにしてもよい。この場合、読み取った複数の音指示データについて、予め定められた順番に従って単音ずつ再生するようにしてもよいし、複数の音指示データについて同時に再生することで、上記と同様に和音による再生を行ってもよい。本変形例のように１つの無線タグＴに対し複数の音指示データを記憶させることにより、例えば所定の楽曲の音数が読み取り対象の数よりも多いような場合でも、楽曲全部を再生させることが可能となる。
【０１１０】
（４）試聴用データを用意する場合
上記実施形態では、試聴を行う場合、棚卸し場所に対応する楽曲データを音源作用データ記憶部３２から読み出し、操作者の操作に応じて当該楽曲の全部又は一部を再生するようにしたが、これに限られない。例えば、楽曲の一部分、主要部、ダイジェスト、イントロのみ、あるいは生音声等の試聴用再生データを予め音源作用データ記憶部３２に記憶させておき、これを再生するようにしてもよい。これにより、楽曲の試聴をより効率的に行うことができ、棚卸し作業に要する時間を短縮することができる。
【０１１１】
（５）その他
上記実施形態では、本発明の無線タグ通信端末を、複数のファイルＦの整列順序の正誤を検出するために用いる場合を一例として説明したが、これ以外にも、各種商品、容器、あるいは機器、さらには整列する人物集団等、所定の整列順序で整列して配置されるものであれば、多種多様な場面において整列順序の正誤を検出するために用いることが可能である。
【０１１２】
また、上記実施形態では、棚卸モードにおいてのみ楽曲の再生が行われるようにしたが、これに限られず、書き込みモードにおいても楽曲の再生を行うようにしてもよい。例えば、無線タグＴに対し整理記号を書き込む際に、当該整理記号に対応する音源作用データの再生を行うようにすれば、操作者は楽曲が正しく書き込まれているか否かを聴覚的に確認することができる。また、情報の書き込みを行いつつ対応する楽曲の試聴を行うことができるので、その後棚卸しを行う際のチェックの確実性をさらに向上できる。
【０１１３】
なお、本明細書において説明したフローチャートは、本発明を当該フローチャートに示す手順に限定するものではなく、発明の趣旨及び技術的思想を逸脱しない範囲内で手順の追加・削除又は変更等を行ってもよい。さらに、本明細書において説明した機能ブロック図において、図中に示す矢印は信号の流れ方向の一例を示すものであり、信号の流れ方向を矢印方向のみに限定するものではない。
【０１１４】
また、以上既に述べた以外にも、上記実施形態や各変形例による手法を適宜組み合わせて利用しても良い。
【０１１５】
その他、一々例示はしないが、本発明は、その趣旨を逸脱しない範囲内において、種々の変更が加えられて実施されるものである。
【図面の簡単な説明】
【０１１６】
【図１】本実施形態の無線タグ通信端末の全体構造を表す外観図である。
【図２】無線タグ通信端末の機能構成を表す機能ブロック図である。
【図３】無線タグ通信端末の制御回路の機能構成を表す機能ブロック図である。
【図４】無線タグ通信端末の高周波回路の機能構成を表す機能ブロック図である。
【図５】無線タグ回路素子の機能的構成の一例を表す機能ブロック図である。
【図６】無線タグ通信端末による棚卸し時の動作の一例を表す図である。
【図７】ファイルが正しい順序で整列配置されていない場合における、無線タグ通信端末による棚卸し時の動作の一例を表す図である。
【図８】音源作用データ記憶部に記憶された相関テーブルの内容を表す図である。
【図９】書き込みモードにおいて、制御回路によって実行される制御内容を表すフローチャートである。
【図１０】棚卸モードにおいて、制御回路によって実行される制御内容を表すフローチャートである。
【符号の説明】
【０１１７】
２              リーダアンテナ（通信手段）
２８            スピーカ（発音手段、演奏手段）
３０            試聴再生ボタン（試聴指示手段）
３２            音源作用データ記憶部（相関記憶手段、試聴データ記憶手段）
３６            音声デコーダ（音源手段、演奏手段）
１００          無線タグ通信端末
Ｆ１〜Ｆ８      ファイル（設置対象）
Ｔ１〜Ｔ８      無線タグ
【図１】
2009258974.tif 000003
【図２】
2009258974.tif 000004
【図３】
2009258974.tif 000005
【図４】
2009258974.tif 000006
【図５】
2009258974.tif 000007
【図６】
2009258974.tif 000008
【図７】
2009258974.tif 000009
【図８】
2009258974.tif 000010
【図９】
2009258974.tif 000011
【図１０】
2009258974.tif 000012